(57)【特許請求の範囲】
【請求項１】
地図画像を表示する表示手段と、
前記表示手段の表示画面上において押下された押下座標位置を検出する位置検出手段と、
前記位置検出手段によって２点の押下座標位置を検出した場合に、当該２点の押下座標位置が近づくように移動した移動方向のそれぞれに対して垂直で、且つ、各押下座標位置を通る２本の直線を算出し、蛇腹状に圧縮表示する地図領域の２本の境界線として設定する境界線設定手段と、
前記２本の境界線で挟まれた地図領域を該２点の押下座標位置の移動に従って該２本の境界線に対して垂直方向に蛇腹状に折り畳んで圧縮表示すると共に、該２本の境界線のそれぞれの外側の地図領域を該２点の押下座標位置の移動に従って表示画面内へ移動させて表示する圧縮表示手段と、
前記２本の境界線で挟まれた地図領域の圧縮表示度合に基づいて、前記２本の境界線の間の圧縮表示した部分に表示する表示物を設定する表示物設定手段と、
前記表示物設定手段によって設定された表示物を前記２本の境界線の間の蛇腹状に圧縮表示した部分に識別可能に表示する表示物表示手段と、
を備えたことを特徴とする情報表示装置。
【請求項２】
前記表示物設定手段は、地図画像の縮尺と、前記２本の境界線で挟まれた地図領域の圧縮表示度合とに基づいて前記表示物を設定することを特徴とする請求項１に記載の情報表示装置。
【請求項３】
前記表示物は、道路を含み、
前記表示物設定手段は、前記２本の境界線の間の蛇腹状に圧縮表示した部分に表示する道路の道路種別を設定することを特徴とする請求項１又は請求項２に記載の情報表示装置。
【請求項４】
前記表示物は、ランドマークを含み、
前記表示物設定手段は、前記２本の境界線の間の蛇腹状に圧縮表示した部分に表示するランドマークの種類を設定することを特徴とする請求項３に記載の情報表示装置。
【請求項５】
前記圧縮表示手段は、地図画像の縮尺と、前記２点の押下座標位置の移動量と、該２点の押下座標位置の移動速度とのうちの少なくとも１つに基づいて前記２本の境界線の間の蛇腹状の折り畳み数を設定することを特徴とする請求項１乃至請求項４のいずれかに記載の情報表示装置。
【請求項６】
地図画像を表示する表示手段の表示画面上において押下された押下座標位置を検出する位置検出工程と、
前記位置検出工程で２点の押下座標位置を検出した場合に、当該２点の押下座標位置が近づくように移動した移動方向のそれぞれに対して垂直で、且つ、各押下座標位置を通る２本の直線を算出し、蛇腹状に圧縮表示する地図領域の２本の境界線として設定する境界線設定工程と、
前記境界線設定工程で設定された２本の境界線で挟まれた地図領域を該２点の押下座標位置の移動に従って該２本の境界線に対して垂直方向に蛇腹状に折り畳んで圧縮表示すると共に、該２本の境界線のそれぞれの外側の地図領域を該２点の押下座標位置の移動に従って表示画面内へ移動させて表示する圧縮表示工程と、
前記圧縮表示工程で表示された前記２本の境界線で挟まれた地図領域の圧縮表示度合に基づいて、前記２本の境界線の間の圧縮表示した部分に表示する表示物を設定する表示物設定工程と、
前記表示物設定工程で設定した表示物を前記２本の境界線の間の蛇腹状に圧縮表示した部分に識別可能に表示する表示物表示工程と、
を備えたことを特徴とする情報表示方法。
【請求項７】
コンピュータに、
地図画像を表示する表示手段の表示画面上において押下された押下座標位置を検出する位置検出工程と、
前記位置検出工程で２点の押下座標位置を検出した場合に、当該２点の押下座標位置が近づくように移動した移動方向のそれぞれに対して垂直で、且つ、各押下座標位置を通る２本の直線を算出し、蛇腹状に圧縮表示する地図領域の２本の境界線として設定する境界線設定工程と、
前記境界線設定工程で設定された２本の境界線で挟まれた地図領域を該２点の押下座標位置の移動に従って該２本の境界線に対して垂直方向に蛇腹状に折り畳んで圧縮表示すると共に、該２本の境界線のそれぞれの外側の地図領域を該２点の押下座標位置の移動に従って表示画面内へ移動させて表示する圧縮表示工程と、
前記圧縮表示工程で表示された前記２本の境界線で挟まれた地図領域の圧縮表示度合に基づいて、前記２本の境界線の間の圧縮表示した部分に表示する表示物を設定する表示物設定工程と、
前記表示物設定工程で設定した表示物を前記２本の境界線の間の蛇腹状に圧縮表示した部分に識別可能に表示する表示物表示工程と、
を実行させるためのプログラム。
【発明の詳細な説明】
【技術分野】
【０００１】
本発明は、表示画面の押下操作に基づいて画像を分割圧縮する情報表示装置、情報表示方法及びプログラムに関するものである。
【背景技術】
【０００２】
近年、携帯電話、ＰＤＡ（Personal Digital Assistant）、電子辞書及び音楽再生装置等の携帯電子機器が普及している。これらの携帯電子機器には、ユーザが操作する操作部の省スペース化により小型化を図るために、表示部の前側に接触及び接触位置を検出する透過型のタッチパネル等を備え、タッチパネルにユーザが触れることによって操作入力可能としたものが広く使われている。
【０００３】
例えば、２本の指で表示画面に接触した状態で、この２本の指の相対距離を縮めるように少なくとも一方の指を移動させることによって（以下、「ピッチイン」という。）、各指の移動後の接触位置Ｐ１、Ｐ２の間の中点を通るように、境界線Ｂを指の移動方向に対して垂直な方向に設定する。そして、この境界線Ｂに沿って表示画面を２の表示領域に分割して表示するように構成された表示装置がある（例えば、特許文献１参照。）。
【先行技術文献】
【特許文献】
【０００４】
【特許文献１】特開２０１０−９７４７３号公報
【発明の概要】
【発明が解決しようとする課題】
【０００５】
しかしながら、前記した特許文献１に記載された表示装置では、地図を表示した表示画面の分割を行った場合に、分割した各画面に表示されたそれぞれの地図領域が距離的に離れていると、各画面間の道路や施設等の繋がりや位置関係が分かりにくいという問題がある。
【０００６】
そこで、本発明は、上述した問題点を解決するためになされたものであり、ユーザが分割した地図画面の各画面間の道路等の繋がりや位置関係を容易に認識することができる情報表示装置、情報表示方法及びプログラムを提供することを目的とする。
【課題を解決するための手段】
【０００７】
前記目的を達成するため請求項１に係る情報表示装置は、地図画像を表示する表示手段と、前記表示手段の表示画面上において押下された押下座標位置を検出する位置検出手段と、前記位置検出手段によって２点の押下座標位置を検出した場合に、当該２点の押下座標位置が近づくように移動した移動方向のそれぞれに対して垂直で、且つ、各押下座標位置を通る２本の直線を算出し、蛇腹状に圧縮表示する地図領域の２本の境界線として設定する境界線設定手段と、前記２本の境界線で挟まれた地図領域を該２点の押下座標位置の移動に従って該２本の境界線に対して垂直方向に蛇腹状に折り畳んで圧縮表示すると共に、該２本の境界線のそれぞれの外側の地図領域を該２点の押下座標位置の移動に従って表示画面内へ移動させて表示する圧縮表示手段と、前記２本の境界線で挟まれた地図領域の圧縮表示度合に基づいて、前記２本の境界線の間の圧縮表示した部分に表示する表示物を設定する表示物設定手段と、前記表示物設定手段によって設定された表示物を前記２本の境界線の間の蛇腹状に圧縮表示した部分に識別可能に表示する表示物表示手段と、を備えたことを特徴とする。
【０００８】
また、請求項２に係る情報表示装置は、請求項１に記載の情報表示装置において、前記表示物設定手段は、地図画像の縮尺と、前記２本の境界線で挟まれた地図領域の圧縮表示度合とに基づいて前記表示物を設定することを特徴とする。
【０００９】
また、請求項３に係る情報表示装置は、請求項１又は請求項２に記載の情報表示装置において、前記表示物は、道路を含み、前記表示物設定手段は、前記２本の境界線の間の蛇腹状に圧縮表示した部分に表示する道路の道路種別を設定することを特徴とする。
【００１０】
また、請求項４に係る情報表示装置は、請求項３に記載の情報表示装置において、前記表示物は、ランドマークを含み、前記表示物設定手段は、前記２本の境界線の間の蛇腹状に圧縮表示した部分に表示するランドマークの種類を設定することを特徴とする。
【００１２】
また、請求項５に係る情報表示装置は、請求項１乃至請求項４のいずれかに記載の情報表示装置において、前記圧縮表示手段は、地図画像の縮尺と、前記２点の押下座標位置の移動量と、該２点の押下座標位置の移動速度とのうちの少なくとも１つに基づいて前記２本の境界線の間の蛇腹状の折り畳み数を設定することを特徴とする。
【００１３】
また、請求項６に係る情報表示方法は、地図画像を表示する表示手段の表示画面上において押下された押下座標位置を検出する位置検出工程と、前記位置検出工程で２点の押下座標位置を検出した場合に、当該２点の押下座標位置が近づくように移動した移動方向のそれぞれに対して垂直で、且つ、各押下座標位置を通る２本の直線を算出し、蛇腹状に圧縮表示する地図領域の２本の境界線として設定する境界線設定工程と、前記境界線設定工程で設定された２本の境界線で挟まれた地図領域を該２点の押下座標位置の移動に従って該２本の境界線に対して垂直方向に蛇腹状に折り畳んで圧縮表示すると共に、該２本の境界線のそれぞれの外側の地図領域を該２点の押下座標位置の移動に従って表示画面内へ移動させて表示する圧縮表示工程と、前記圧縮表示工程で表示された前記２本の境界線で挟まれた地図領域の圧縮表示度合に基づいて、前記２本の境界線の間の圧縮表示した部分に表示する表示物を設定する表示物設定工程と、前記表示物設定工程で設定した表示物を前記２本の境界線の間の蛇腹状に圧縮表示した部分に識別可能に表示する表示物表示工程と、を備えたことを特徴とする。
【００１４】
更に、請求項７に係るプログラムは、コンピュータに、地図画像を表示する表示手段の表示画面上において押下された押下座標位置を検出する位置検出工程と、前記位置検出工程で２点の押下座標位置を検出した場合に、当該２点の押下座標位置が近づくように移動した移動方向のそれぞれに対して垂直で、且つ、各押下座標位置を通る２本の直線を算出し、蛇腹状に圧縮表示する地図領域の２本の境界線として設定する境界線設定工程と、前記境界線設定工程で設定された２本の境界線で挟まれた地図領域を該２点の押下座標位置の移動に従って該２本の境界線に対して垂直方向に蛇腹状に折り畳んで圧縮表示すると共に、該２本の境界線のそれぞれの外側の地図領域を該２点の押下座標位置の移動に従って表示画面内へ移動させて表示する圧縮表示工程と、前記圧縮表示工程で表示された前記２本の境界線で挟まれた地図領域の圧縮表示度合に基づいて、前記２本の境界線の間の圧縮表示した部分に表示する表示物を設定する表示物設定工程と、前記表示物設定工程で設定した表示物を前記２本の境界線の間の蛇腹状に圧縮表示した部分に識別可能に表示する表示物表示工程と、を実行させるためのプログラムである。
【発明の効果】
【００１５】
請求項１に係る情報表示装置、請求項７に係る情報表示方法及び請求項８に係るプログラムでは、ユーザは、表示画面の２点を押下して互い近づけるように移動させることによって、この押下した２点の押下座標位置が近づくように移動した移動方向のそれぞれに対して垂直で、且つ、各押下座標位置を通る２本の直線が算出され、蛇腹状に圧縮表示する地図領域の２本の境界線として設定される。そして、ユーザが表示画面の２点を押下して互い近づけるように移動させることによって、各押下座標位置に設定された２本の境界線間の地図が蛇腹状に圧縮表示される。これにより、ユーザは、表示画面の２点を押下して互い近づけるように移動させることによって、各押下座標位置に設定された２本の境界線間の地図を蛇腹状に圧縮表示させることができる。また、この圧縮表示した部分には、２本の境界線で挟まれた地図領域の圧縮表示度合に対応した表示物が識別可能に表示されるため、ユーザは分割された各画面間の道路や施設等の繋がりや位置関係を容易に認識することができる。また、２本の境界線で挟まれた地図領域を該２本の境界線に対して垂直方向に蛇腹状に折り畳んで圧縮表示するため、ユーザは地図領域の圧縮表示部分を容易に認識することができる。
【００１６】
また、請求項２に係る情報表示装置では、蛇腹状に圧縮表示した部分に、地図画像の縮尺と、２本の境界線で挟まれた地図領域の圧縮表示度合とに基づいて設定された表示物が識別可能に表示される。これにより、ユーザは蛇腹状に圧縮表示した部分の圧縮度合に応じて表示される表示物によって、分割された各画面間の道路や施設等の繋がりや位置関係を更に容易に認識することができる。
【００１７】
また、請求項３に係る情報表示装置では、蛇腹状に圧縮表示した部分には、地図画像の縮尺と、２本の境界線で挟まれた地図領域の圧縮表示度合とに基づいて設定された道路種別の道路が識別可能に表示されるため、ユーザは分割された各画面間の道路等の繋がりや位置関係を更に容易に認識することができる。
【００１８】
また、請求項４に係る情報表示装置では、蛇腹状に圧縮表示した部分には、地図画像の縮尺と、２本の境界線で挟まれた地図領域の圧縮表示度合とに基づいて設定された種類のランドマークが識別可能に表示されるため、ユーザは分割された各画面間の道路や施設等の繋がりや位置関係を更に容易に認識することができる。
【００２０】
更に、請求項５に係る情報表示装置では、地図画像の縮尺と、２点の押下座標位置の移動量と、該２点の押下座標位置の移動速度とのうちの少なくとも１つに基づいて２本の境界線の間の蛇腹状の折り畳み数を設定する。これにより、ユーザは地図画像の縮尺と、２点の押下座標位置の移動量と、該２点の押下座標位置の移動速度とのうちの少なくとも１つを変更することによって、圧縮表示部分の蛇腹状の折り畳み数を変更して、圧縮表示部分の解像度を容易に設定することが可能となる。
【図面の簡単な説明】
【００２１】
【図１】本実施例に係るナビゲーション装置を示したブロック図である。
【図２】圧縮表示データテーブルの一例を示す図である。
【図３】表示物データテーブルの一例を示す図である。
【図４】２本の指で押下した押下座標位置間の地図画像を圧縮表示する「圧縮表示処理」を示すメインフローチャートである。
【図５】図４の「蛇腹情報生成処理」のサブ処理を示すサブフローチャートである。
【図６】図４の「蛇腹描画処理」のサブ処理を示すサブフローチャートである。
【図７】図４の「蛇腹描画変更処理」のサブ処理を示すサブフローチャートである。
【図８】地図画像を圧縮する蛇腹境界部の設定の一例を示す図である。
【図９】地図画像を圧縮した一例を示す図である。
【図１０】地図画像を圧縮した一例を示す図である。
【図１１】地図画像を圧縮した一例を示す図である。
【図１２】圧縮表示領域の復元操作の一例を示す図である。
【図１３】圧縮表示領域の復元表示の一例を示す図である。
【発明を実施するための形態】
【００２２】
以下、本発明に係る情報表示装置、情報表示方法及びプログラムをナビゲーション装置について具体化した一実施例に基づき図面を参照しつつ詳細に説明する。
【００２３】
［ナビゲーション装置の概略構成］
先ず、本実施例に係るナビゲーション装置の概略構成について図１に基づいて説明する。図１は本実施例に係るナビゲーション装置１を示したブロック図である。
図１に示すように、本実施例に係るナビゲーション装置１は、自車の現在位置等を検出する現在地検出処理部１１と、各種のデータが記録されたデータ記録部１２と、入力された情報に基づいて、各種の演算処理を行うナビゲーション制御部１３と、操作者からの操作を受け付ける操作部１４と、操作者に対して地図等の情報を表示する液晶ディスプレイ１５と、経路案内等に関する音声ガイダンスを出力するスピーカ１６と、不図示の道路交通情報センタや地図情報配信センタ等との間で携帯電話網等を介して通信を行う通信装置１７と、液晶ディスプレイ１５の表面に装着されたタッチパネル１８とから構成されている。また、ナビゲーション制御部１３には自車の走行速度を検出する車速センサ２１が接続されている。
【００２４】
以下に、ナビゲーション装置１を構成する各構成要素について説明すると、現在地検出処理部１１は、ＧＰＳ３１、方位センサ３２、距離センサ３３等からなり、自車両の現在位置（以下、「自車位置」という。）、自車の向きを表す自車方位、走行距離等を検出することが可能となっている。
【００２５】
また、データ記録部１２は、外部記憶装置及び記録媒体としてのハードディスク（図示せず）と、ハードディスクに記憶された地図情報データベース（地図情報ＤＢ）２５、圧縮表示データベース（圧縮表示ＤＢ）２７及び所定のプログラム等を読み出すとともにハードディスクに所定のデータを書き込む為のドライバ（図示せず）とを備えている。
【００２６】
また、地図情報ＤＢ２５には、ナビゲーション装置１の走行案内や経路探索に使用されるナビ地図情報２６が格納されている。また、圧縮表示ＤＢ２７には、圧縮表示領域の地図を蛇腹状に折り畳んで圧縮表示する際の蛇腹折り畳み数を地図画像の縮尺、押下位置の移動量及び移動速度に対応させて記憶する後述の圧縮表示データテーブル５１（図２参照）が格納されている。また、圧縮表示ＤＢ２７には、蛇腹状に折り畳んで圧縮表示した圧縮表示領域に表示する道路種別やランドマークの種類を地図画像の縮尺及び圧縮表示幅に対応させて記憶する後述の表示物データテーブル５２（図３参照）が記憶されている。
【００２７】
ここで、ナビ地図情報２６は、経路案内及び地図表示に必要な各種情報から構成されており、例えば、各新設道路を特定するための新設道路情報、地図を表示するための地図表示データ、各交差点に関する交差点データ、ノード点に関するノードデータ、道路（リンク）に関するリンクデータ、経路を探索するための探索データ、施設の一種である店舗等のＰＯＩ（Point of Interest）に関する施設データ、地点を検索するための検索データ等から構成されている。
【００２８】
また、ノードデータとしては、実際の道路の分岐点（交差点、Ｔ字路等も含む）、各道路に曲率半径等に応じて所定の距離ごとに設定されたノードの座標（位置）、ノードが交差点に対応するノードであるか等を表すノード属性、ノードに接続するリンクの識別番号であるリンクＩＤのリストである接続リンク番号リスト、ノードにリンクを介して隣接するノードのノード番号のリストである隣接ノード番号リスト等に関するデータ等が記録される。
【００２９】
また、リンクデータとしては、道路を構成する各リンクに関してリンクを特定するリンクＩＤ、リンクの長さを示すリンク長、リンクの始点と終点の座標位置（例えば、緯度と経度である。）、中央分離帯の有無、リンクの属する道路の幅員、勾（こう）配、カント、バンク、路面の状態、道路の車線数、車線数の減少する箇所、幅員の狭くなる箇所、踏切り等を表すデータが、コーナに関して、曲率半径、交差点、Ｔ字路、コーナの入口及び出口等を表すデータが、道路属性に関して、降坂路、登坂路等を表すデータが、道路種別に関して、国道、県道、細街路等の一般道のほか、高速自動車国道、都市高速道路、一般有料道路、有料橋等の有料道路を表すデータがそれぞれ記録される。
【００３０】
尚、高速自動車国道、都市高速道路、自動車専用道路、一般有料道路の有料の道路を有料道路という。また、有料道路を除いた１桁又は２桁の国道、主要地方道を幹線道路という。また、３桁以上の国道、県道、市町村道等を一般道路という。
【００３１】
また、施設データとしては、各地域のホテル、遊園地、宮殿、病院、ガソリンスタンド、駐車場、駅、空港、フェリー乗り場、インターチェンジ（ＩＣ）、ジャンクション（ＪＣＴ）、パーキングエリア（ＰＡ）等のＰＯＩに関する名称や住所、電話番号、地図上の座標位置（例えば、中心位置、入口、出口等の緯度と経度である。）、地図上に施設の位置を表示する施設アイコンやランドマーク等のデータがＰＯＩを特定する施設ＩＤとともに記憶されている。また、ユーザが登録したコンビニエンスストア、ガソリンスタンド等の登録施設を特定する登録施設ＩＤも記憶されている。
また、地図情報ＤＢ２５の内容は、不図示の地図情報配信センタから通信装置１７を介して配信された更新情報をダウンロードすることによって更新される。
【００３２】
また、図１に示すように、ナビゲーション装置１を構成するナビゲーション制御部１３は、ナビゲーション装置１の全体の制御を行う演算装置及び制御装置としてのＣＰＵ４１、並びにＣＰＵ４１が各種の演算処理を行うに当たってワーキングメモリとして使用されるとともに、経路が探索されたときの経路データ等が記憶されるＲＡＭ４２、制御用のプログラム等が記憶されたＲＯＭ４３、ＲＯＭ４３から読み出したプログラムを記憶するフラッシュメモリ４４等の内部記憶装置や、時間を計測するタイマ４５等を備えている。
【００３３】
また、ＲＯＭ４３には、後述のユーザが液晶ディスプレイ１５の表示画面上を２本の指で押下した状態で近づくように移動させることによって、つまり、ピッチイン操作を行った場合に、２本の指で押下した間の地図画像を蛇腹状に折り畳んで圧縮表示する「圧縮表示処理」（図４参照）等のプログラムが記憶されている。
更に、前記ナビゲーション制御部１３には、操作部１４、液晶ディスプレイ１５、スピーカ１６、通信装置１７、タッチパネル１８の各周辺装置（アクチュエータ）が電気的に接続されている。
【００３４】
この操作部１４は、走行開始時の現在位置を修正し、案内開始地点としての出発地及び案内終了地点としての目的地を入力する際や施設に関する情報の検索を行う場合等に操作され、各種のキーや複数の操作スイッチから構成される。そして、ナビゲーション制御部１３は、各スイッチの押下等により出力されるスイッチ信号に基づき、対応する各種の動作を実行すべく制御を行う。
【００３５】
また、液晶ディスプレイ１５には、現在走行中の地図情報（図８等参照）、目的地周辺の地図情報、操作案内、操作メニュー、キーの案内、現在地から目的地までの推奨経路、推奨経路に沿った案内情報、交通情報、ニュース、天気予報、時刻、メール、テレビ番組等が表示される。
【００３６】
また、スピーカ１６は、ナビゲーション制御部１３からの指示に基づいて、推奨経路に沿った走行を案内する音声ガイダンス等を出力する。ここで、案内される音声ガイダンスとしては、例えば、「２００ｍ先、○○交差点を右方向です。」等がある。
【００３７】
また、通信装置１７は、地図情報配信センタと通信を行う携帯電話網等による通信手段であり、地図情報配信センタとの間で最もバージョンの新しい更新地図情報等の送受信を行う。また、通信装置１７は地図情報配信センタに加えて、道路交通情報センタ等から送信された渋滞情報やサービスエリアの混雑状況等の各情報から成る交通情報を受信する。
【００３８】
また、タッチパネル１８は、液晶ディスプレイ１５の表示画面上に装着された透明なパネル状のタッチスイッチであり、液晶ディスプレイ１５の画面に表示されたボタンや地図上を押下することによって各種指示コマンドの入力や、後述のように表示画面上を２本の指で押下してピッチイン操作を行った場合に、各指の移動方向及び移動速度の検出や、表示画面上を押下した指の数の検出等をすることが可能に構成されている。尚、タッチパネル１８は、液晶ディスプレイ１５の画面を直接押下する光センサ液晶方式等で構成してもよい。
【００３９】
ここで、圧縮表示ＤＢ２７に格納される圧縮表示データテーブル５１の一例について図２に基づいて説明する。
図２に示すように、圧縮表示データテーブル５１は、「縮尺」と、「移動量」と、「移動速度」と、「蛇腹折り畳み数」とから構成されている。「縮尺」には、表示画面に表示されている地図画像の縮尺が記憶されている。例えば、市街図（１／１００００）や、２．５万図の１／２５０００、５万図の１／５００００等の縮尺が記憶されている。
【００４０】
また、「移動量」には、２本の指の押下座標位置の合計移動量を表す「狭」、「中」、「広」が、「縮尺」に記憶されている各地図画像の縮尺に対応して記憶されている。この「狭」は、２本の指の押下座標位置の合計移動量が狭いことを表している。例えば、２本の指の押下座標位置の合計移動量が、表示画面の移動方向の幅の１／３未満であることを表している。
【００４１】
また、「中」は、２本の指の押下座標位置の合計移動量が中くらいであることを表している。例えば、２本の指の押下座標位置の合計移動量が、表示画面の移動方向の幅の１／３以上から約２／３未満であることを表している。また、この「広」は、２本の指の押下座標位置の合計移動量が広いことを表している。例えば、２本の指の押下座標位置の合計移動量が、表示画面の移動方向の幅の２／３以上であることを表している。
【００４２】
また、「移動速度」には、２本の指の押下座標位置の近づく移動速度を表す「低速」、「中速」、「高速」が、「移動量」に記憶された「狭」、「中」、「広」のそれぞれに対応して記憶されている。この「低速」は、２本の指の押下座標位置の近づく移動速度が低速であることを表している。例えば、２本の指の押下座標位置の近づく移動速度が、１ｃｍ／秒未満であることを表している。
【００４３】
また、「中速」は、２本の指の押下座標位置の近づく移動速度が中速であることを表している。例えば、２本の指の押下座標位置の近づく移動速度が、１ｃｍ／秒以上から２ｃｍ／秒未満であることを表している。また「高速」は、２本の指の押下座標位置の近づく移動速度が高速であることを表している。例えば、２本の指の押下座標位置の近づく移動速度が、２ｃｍ／秒以上であることを表している。
【００４４】
また、「蛇腹折り畳み数」には、２本の境界線で挟まれた地図領域を蛇腹状に折り畳む折り畳み数が、「移動速度」に記憶された「低速」、「中速」、「高速」のそれぞれに対応して記憶されている。例えば、「縮尺」が「市街図」で、「移動量」が「狭」で、「移動速度」が「低速」に対応する「蛇腹折り畳み数」には、折り畳み数「２」が記憶されている。
【００４５】
従って、図２に示すように、「蛇腹折り畳み数」は、「移動量」が大きくなるほど、多くなるように設定されている。また、「蛇腹折り畳み数」は、「移動速度」が速くなるほど、多くなるように設定されている。また「蛇腹折り畳み数」は、「縮尺」が広域図になるほど、つまり、縮尺が小さくなるほど、多くなるように設定されている。
【００４６】
次に、圧縮表示ＤＢ２７に格納される表示物データテーブル５２の一例について図３に基づいて説明する。
図３に示すように、圧縮表示データテーブル５１は、「縮尺と」と、「圧縮表示幅」と、「表示する道路種別」と、「表示するランドマークの種類」とから構成されている。
【００４７】
「縮尺」には、表示画面に表示されている地図画像の縮尺記憶されている。例えば、「縮尺」には、１万図未満、つまり、１／１００００より大きい縮尺の詳細図を表す「詳細」と、１万図から８万図、つまり、１／１００００〜１／８００００の縮尺の中域図を表す「中域」と、１６万図、つまり、１／１６００００より小さい縮尺の広域図を表す「広域」とが記憶されている。
【００４８】
また、「圧縮表示幅」には、蛇腹状に圧縮した圧縮方向の表示画面の幅に対する当該圧縮表示された圧縮表示領域の圧縮方向の表示幅の割合を表す「広い」、「中間」、「狭い」が、「縮尺」に記憶されている各地図画像の縮尺に対応して記憶されている。この「広い」は、圧縮表示領域の圧縮方向の表示幅が広いことを表している。例えば、蛇腹状に圧縮表示された圧縮表示領域の圧縮方向の表示幅が、表示画面の圧縮方向の幅の１／３以上であることを表している。
【００４９】
また、「中間」は、圧縮表示領域の圧縮方向の幅が中程度であることを表している。例えば、蛇腹状に圧縮表示された圧縮表示領域の圧縮方向の表示幅が、表示画面の圧縮方向の幅の１／６以上から１／３未満であることを表している。また、「狭い」は、圧縮表示領域の圧縮方向の幅が狭いことを表している。例えば、蛇腹状に圧縮表示された圧縮表示領域の圧縮方向の表示幅が、表示画面の圧縮方向の幅の１／６未満であることを表している。
【００５０】
また、「表示する道路種別」には、「圧縮表示幅」のそれぞれに対応して「全ての道路」、「幹線道路以上」、「高速道路のみ」のいずれかが記憶されている。この「全ての道路」は、２本の境界線で挟まれた地図領域内の全ての道路、つまり、一般道路以上の道路種別を表している。また、「幹線道路以上」は、２本の境界線で挟まれた地図領域内の幹線道路以上の道路種別を表している。また、「高速道路のみ」は、２本の境界線で挟まれた地図領域内の有料道路の道路種別を表している。
【００５１】
また、「表示するランドマークの種類」には、「圧縮表示幅」のそれぞれに対応して「登録施設以上」、「大型施設以上」、「ＩＣ、ＪＣＴ」のいずれかが記憶されている。この「登録施設以上」は、２本の境界線で挟まれた地図領域内のユーザが登録した登録施設、駅や県庁等の大型施設、有料道路のインターチェンジ（ＩＣ）、ジャンクション（ＪＣＴ）の全施設のランドマークを表している。
【００５２】
また、「大型施設以上」は、２本の境界線で挟まれた地図領域内の大型施設、インターチェンジ（ＩＣ）、ジャンクション（ＪＣＴ）の各施設のランドマークを表している。また、「ＩＣ、ＪＣＴ」は、２本の境界線で挟まれた地図領域内のインターチェンジ（ＩＣ）、ジャンクション（ＪＣＴ）の各施設のランドマークを表している。
【００５３】
［圧縮表示処理］
次に、上記のように構成されたナビゲーション装置１のＣＰＵ４１が実行する処理であって、ユーザが液晶ディスプレイ１５の表示画面上を２本の指で押下してピッチイン操作を行った場合に、２本の指で押下した間の地図画像を蛇腹状に折り畳んで圧縮表示する「圧縮表示処理」について図４乃至図１３に基づいて説明する。尚、図４にフローチャートで示されるプログラムは、ＣＰＵ４１により実行される。
【００５４】
図３に示すように、先ず、ステップ（以下、Ｓと略記する）１１において、ＣＰＵ４１は、タッチパネル１８の２本の指で押下された各押下座標位置（以下、「タッチ座標」という。）を所定時間毎（例えば、約１０ミリ秒毎である。）に検出して、それぞれの指に対応させてＲＡＭ４２に時系列的に記憶する。
【００５５】
続いて、Ｓ１２において、ＣＰＵ４１は、タッチパネル１８への２本の指による押下が解除された場合には、表示画面に表示されている地図上に、蛇腹状に折り畳んで圧縮表示した地図領域があるか否かを判定する判定処理を実行する。そして、表示画面に表示されている地図上に、蛇腹状に折り畳んで圧縮表示した地図領域が無いと判定した場合には（Ｓ１２：ＮＯ）、ＣＰＵ４１は、Ｓ１３の処理に移行して、後述の「蛇腹情報生成処理」のサブ処理（図５参照）を実行後、Ｓ１４の処理に移行する。
【００５６】
Ｓ１４において、ＣＰＵ４１は、後述の「蛇腹描画処理」のサブ処理（図６参照）を実行後、当該処理を終了する。
一方、上記Ｓ１２で表示画面に表示されている地図上に、蛇腹状に折り畳んで圧縮表示した地図領域があると判定した場合には（Ｓ１２：ＹＥＳ）、ＣＰＵ４１は、Ｓ１５の処理に移行して、後述の「蛇腹描画変更処理」のサブ処理（図７参照）を実行後、当該処理を終了する。
【００５７】
［蛇腹情報生成処理］
次に、上記Ｓ１３で実行する「蛇腹情報生成処理」のサブ処理について図５及び図８に基づいて説明する。
図５に示すように、Ｓ１１１において、ＣＰＵ４１は、ＲＡＭ４２からそれぞれの指のタッチ座標を時系列的に読み出し、表示画面上でのそれぞれの指のタッチ座標の移動方向を算出してＲＡＭ４２に記憶する。
【００５８】
そして、Ｓ１１２において、ＣＰＵ４１は、それぞれの指が最初に表示画面を押下したタッチ座標（以下、「開始タッチ座標」という。）と、それぞれの指のタッチ座標の移動方向とをＲＡＭ４２から読み出す。そして、ＣＰＵ４１は、それぞれの指の開始タッチ座標を通り、各開始タッチ座標の移動方向に対して垂直な直線を算出し、蛇腹状に圧縮表示する地図領域の各境界線としてＲＡＭ４２に記憶する。従って、ＣＰＵ４１は、２本の境界線で挟まれた地図領域を蛇腹状に圧縮表示する地図領域として設定する。
【００５９】
例えば、図８に示すように、液晶ディスプレイ１５の表示画面の一方の開始タッチ座標５５の移動方向が矢印５５Ａ方向の場合には、ＣＰＵ４１は、開始タッチ座標５５を通り、矢印５５Ａ方向に垂直な直線を、蛇腹状に圧縮表示する地図領域の一方の境界線５８としてＲＡＭ４２に記憶する。
【００６０】
また、表示画面の他方の開始タッチ座標５６の移動方向が矢印５６Ａ方向の場合には、ＣＰＵ４１は、開始タッチ座標５６を通り、矢印５６Ａ方向に垂直な直線を、蛇腹状に圧縮表示する地図領域の他方の境界線５９としてＲＡＭ４２に記憶する。従って、ＣＰＵ４１は、各境界線５８、５９で挟まれた地図領域５７を蛇腹状に圧縮表示する地図領域として設定する。
【００６１】
そして、図５に示すように、Ｓ１１３において、ＣＰＵ４１は、両境界間に存在する道路と施設に関する地図情報をナビ地図情報２６から読み出し、ＲＡＭ４２に記憶する。具体的には、ＣＰＵ４１は、両境界間に存在する道路（リンク）に関するリンクデータやノードに関するノードデータ、及び、両境界間に存在するＰＯＩを示すランドマークに関する施設データ等を読み出し、ＲＡＭ４２に記憶する。
【００６２】
例えば、図８に示すように、ＣＰＵ４１は、両境界線５８、５９間に存在する各幹線道路６１、６２、各一般道路６３、６４、及び有料道路６５上の各リンク６１Ａ、６１Ｂ、６２Ａ、６２Ｂ・・・・のリンクＩＤと各ノード７１、７２、７３・・・のノードデータをナビ地図情報２６から読み出して、ＲＡＭ４２に記憶する。また、ＣＰＵ４１は、両境界線５８、５９間に存在するガソリンスタンドのランドマーク６６の施設ＩＤをナビ地図情報２６から読み出して、ＲＡＭ４２に記憶する。尚、各リンク６１Ａ、６１Ｂ、６２Ａ、６２Ｂ・・・・や各ノード７１、７２、７３・・・は、地図画像上に表示されていない。
【００６３】
続いて、図４に示すように、Ｓ１１４において、ＣＰＵ４１は、両境界線間に存在する各道路の道路種別をナビ地図情報２６から読み出して、各道路に対応付けてＲＡＭ４２に記憶する。また、ＣＰＵ４１は、両境界線間に存在する各ランドマークの種類、つまり、各ランドマークに対応する施設の種類をナビ地図情報２６から読み出して、各ランドマークに対応付けてＲＡＭ４２に記憶する。その後、ＣＰＵ４１は、当該サブ処理を終了してメインフローチャートに戻り、Ｓ１４の処理に移行する。
【００６４】
尚、道路種別は、「一般道路」、「幹線道路」、「有料道路」のいずれかである。また、施設の種類としては、ユーザが登録した「登録施設」、「小型施設（ガソリンスタンド、コンビニエンスストア等）」、「中型施設（百貨店、銀行、スーパー等）」、「大型施設（県庁、市役所、駅等）」、「インターチェンジ（ＩＣ）」、「ジャンクション（ＪＣＴ）」等である。
【００６５】
例えば、図８に示すように、ＣＰＵ４１は、各幹線道路６１、６２、各一般道路６３、６４、及び有料道路６５の道路種別をナビ地図情報２６から読み出して、各道路に対応付けてＲＡＭ４２に記憶する。また、ＣＰＵ４１は、ランドマーク６６に対応するガソリンスタンドの施設ＩＤが登録施設ＩＤの場合には、ランドマーク６６の種類として「登録施設」をＲＡＭ４２に記憶する。
【００６６】
［蛇腹描画処理］
次に、上記Ｓ１４で実行する「蛇腹描画処理」のサブ処理について図６、図９乃至図１１に基づいて説明する。
図６に示すように、Ｓ２１１において、ＣＰＵ４１は、ＲＡＭ４２からそれぞれの指のタッチ座標を時系列的に読み出し、表示画面上での各指のタッチ座標の合計移動量と、各指のタッチ座標の近づく移動速度を算出してＲＡＭ４２に記憶する。
【００６７】
具体的には、ＣＰＵ４１は、各指の開始タッチ座標と、各指によるタッチパネル１８への押下がなくなる直前のタッチ座標（以下、「最終タッチ座標」という。）とをＲＡＭ４２から読み出す。そして、各指の開始タッチ座標から最終タッチ座標までの距離を算出して合計し、各指の「合計移動量」としてＲＡＭ４２に記憶する。また、各指のタッチパネル１８への押下開始から押下解除までの計測時間と、各指の開始タッチ座標から最終タッチ座標までの距離とから移動速度を算出して、各指のタッチ座標の近づく「移動速度」としてＲＡＭ４２に記憶する。
【００６８】
そして、Ｓ２１２において、ＣＰＵ４１は、液晶ディスプレイ１５の表示画面に表示している地図画像の縮尺をナビ地図情報２６から読み出し、ＲＡＭ４２に記憶する。
続いて、Ｓ２１３において、ＣＰＵ４１は、上記Ｓ１１２で設定した２本の境界線で挟まれた地図領域を蛇腹状に圧縮表示する際の「蛇腹折り畳み数」を設定する。
【００６９】
具体的には、先ず、ＣＰＵ４１は、地図画像の縮尺をＲＡＭ４２から読み出して、圧縮表示データテーブル５１の「縮尺」として決定する。続いて、ＣＰＵ４１は、ＲＡＭ４２から各指の「合計移動量」を読み出して、この圧縮表示データテーブル５１の決定した「縮尺」に対応する「移動量」の「狭」、「中」、「広」の何れであるか決定する。
【００７０】
そして、ＣＰＵ４１は、ＲＡＭ４２から各指のタッチ座標の近づく「移動速度」を読み出して、この圧縮表示データテーブル５１の決定した「移動量」に対応する「移動速度」の「低速」、「中速」、「高速」の何れであるか決定する。その後、ＣＰＵ４１は、この圧縮表示データテーブル５１の決定した「移動速度」に対応する「蛇腹折り畳み数」を当該圧縮表示データテーブル５１から読み出し、２本の境界線で挟まれた地図領域を蛇腹状に圧縮表示する際の「蛇腹折り畳み数」としてＲＡＭ４２に記憶する。
【００７１】
例えば、図９に示すように、液晶ディスプレイ１５の地図画像の縮尺が「市街図」（例えば、１／１００００の縮尺である。）であるため、ＣＰＵ４１は、圧縮表示データテーブル５１の「縮尺」を「市街図」として決定する。また、各開始タッチ座標５５、５６から各最終タッチ座標８１、８２までの「合計移動量」を各指の移動方向の表示画面の幅で割り算した値が１／３未満の場合には、ＣＰＵ４１は、圧縮表示データテーブル５１の決定した「縮尺」の「市街図」に対応する「移動量」を「狭」に決定する。
【００７２】
また、各開始タッチ座標５５、５６から各最終タッチ座標８１、８２へ近づく「移動速度」が１ｃｍ／秒未満の場合には、圧縮表示データテーブル５１の決定した「移動量」の「狭」に対応する「移動速度」を「低速」に決定する。その後、ＣＰＵ４１は、この圧縮表示データテーブル５１の決定した「移動速度」の「低速」に対応する「蛇腹折り畳み数」の「２」を読み出し、蛇腹状に圧縮表示する際の「蛇腹折り畳み数」としてＲＡＭ４２に記憶する。つまり、ＣＰＵ４１は、各最終タッチ座標８１、８２まで移動させた各境界線５８、５９で挟まれた地図領域５７を蛇腹状に圧縮表示する際の「蛇腹折り畳み数」を「２」に設定する。
【００７３】
また、例えば、図１０に示すように、液晶ディスプレイ１５の地図画像の縮尺が「市街図」（例えば、１／１００００の縮尺である。）であるため、ＣＰＵ４１は、圧縮表示データテーブル５１の「縮尺」を「市街図」として決定する。また、各開始タッチ座標５５、５６から各最終タッチ座標８３、８４までの「合計移動量」を各指の移動方向の表示画面の幅で割り算した値が１／３以上から１／２未満の場合には、ＣＰＵ４１は、圧縮表示データテーブル５１の決定した「縮尺」の「市街図」に対応する「移動量」を「中」に決定する。
【００７４】
また、各開始タッチ座標５５、５６から各最終タッチ座標８３、８４へ近づく「移動速度」が１ｃｍ／秒以上から２ｃｍ／秒未満の場合には、圧縮表示データテーブル５１の決定した「移動量」の「中」に対応する「移動速度」を「中速」に決定する。その後、ＣＰＵ４１は、この圧縮表示データテーブル５１の決定した「移動速度」の「中速」に対応する「蛇腹折り畳み数」の「４」を読み出し、蛇腹状に圧縮表示する際の「蛇腹折り畳み数」としてＲＡＭ４２に記憶する。つまり、ＣＰＵ４１は、各最終タッチ座標８３、８４まで移動させた各境界線５８、５９で挟まれた地図領域５７を蛇腹状に圧縮表示する際の「蛇腹折り畳み数」を「４」に設定する。
【００７５】
また、例えば、図１１に示すように、液晶ディスプレイ１５の地図画像の縮尺が「市街図」（例えば、１／１００００の縮尺である。）であるため、ＣＰＵ４１は、圧縮表示データテーブル５１の「縮尺」を「市街図」として決定する。また、各開始タッチ座標５５、５６から各最終タッチ座標８５、８６までの「合計移動量」を各指の移動方向の表示画面の幅で割り算した値が１／２以上の場合には、ＣＰＵ４１は、圧縮表示データテーブル５１の決定した「縮尺」の「市街図」に対応する「移動量」を「広」に決定する。
【００７６】
また、各開始タッチ座標５５、５６から各最終タッチ座標８５、８６へ近づく「移動速度」が１ｃｍ／秒未満の場合には、圧縮表示データテーブル５１の決定した「移動量」の「広」に対応する「移動速度」を「低速」に決定する。その後、ＣＰＵ４１は、この圧縮表示データテーブル５１の決定した「移動速度」の「低速」に対応する「蛇腹折り畳み数」の「４」を読み出し、蛇腹状に圧縮表示する際の「蛇腹折り畳み数」としてＲＡＭ４２に記憶する。つまり、ＣＰＵ４１は、各最終タッチ座標８５、８６まで移動させた各境界線５８、５９で挟まれた地図領域５７を蛇腹状に圧縮表示する際の「蛇腹折り畳み数」を「４」に設定する。
【００７７】
そして、図６に示すように、Ｓ２１４において、ＣＰＵ４１は、上記Ｓ１１２で各開始タッチ座標を通るように設定した２本の各境界線を各最終タッチ座標の位置までそれぞれ移動させる。また同時に、ＣＰＵ４１は、当該２本の境界線のそれぞれの外側の地図領域を各境界線の移動に従って表示画面内へ移動させて表示する。
【００７８】
続いて、Ｓ２１５において、ＣＰＵ４１は、各最終タッチ座標の位置まで移動した２本の境界線で挟まれた地図領域を蛇腹状に圧縮表示する際の「蛇腹折り畳み数」をＲＡＭ４２から読み出す。そして、ＣＰＵ４１は、２本の境界線で挟まれた地図領域を該２本の境界線に対して垂直方向に当該「蛇腹折り畳み数」で蛇腹状に折り畳んで圧縮表示する。
【００７９】
例えば、図９に示すように、ＣＰＵ４１は、各境界線５８、５９を各最終タッチ座標８１、８２の位置までそれぞれ移動させる。また同時に、ＣＰＵ４１は、各境界線５８、５９のそれぞれの外側の地図領域を各境界線５８、５９の移動に従って表示画面内へ移動させて表示する。また、ＣＰＵ４１は、各境界線５８、５９で挟まれた地図領域５７を圧縮表示する際の「蛇腹折り畳み数」である「２」をＲＡＭ４２から読み出し、この地図領域５７を各境界線５８、５９に対して垂直方向に折り畳み数「２」の蛇腹状に折り畳んで圧縮した圧縮表示領域９１を表示する。
【００８０】
また、例えば、図１０に示すように、ＣＰＵ４１は、各境界線５８、５９を各最終タッチ座標８３、８４の位置までそれぞれ移動させる。また同時に、ＣＰＵ４１は、各境界線５８、５９のそれぞれの外側の地図領域を各境界線５８、５９の移動に従って表示画面内へ移動させて表示する。また、ＣＰＵ４１は、各境界線５８、５９で挟まれた地図領域５７を圧縮表示する際の「蛇腹折り畳み数」である「４」をＲＡＭ４２から読み出し、この地図領域５７を各境界線５８、５９に対して垂直方向に折り畳み数「４」の蛇腹状に折り畳んで圧縮した圧縮表示領域９２を表示する。
【００８１】
また、例えば、図１１に示すように、ＣＰＵ４１は、各境界線５８、５９を各最終タッチ座標８５、８６の位置までそれぞれ移動させる。また同時に、ＣＰＵ４１は、各境界線５８、５９のそれぞれの外側の地図領域を各境界線５８、５９の移動に従って表示画面内へ移動させて表示する。また、ＣＰＵ４１は、各境界線５８、５９で挟まれた地図領域５７を圧縮表示する際の「蛇腹折り畳み数」である「４」をＲＡＭ４２から読み出し、この地図領域５７を各境界線５８、５９に対して垂直方向に折り畳み数「４」の蛇腹状に折り畳んで圧縮した圧縮表示領域９３を表示する。
【００８２】
そして、図６に示すように、Ｓ２１６において、ＣＰＵ４１は、各最終タッチ座標の位置までそれぞれ移動させた２本の境界線間の距離、つまり、蛇腹状に圧縮表示された圧縮表示領域の圧縮方向の表示幅を、各境界線の移動方向の表示画面の幅で割り算した値（圧縮表示度合）を算出して、表示物データテーブル５２の「圧縮表示幅」を決定する。具体的には、ＣＰＵ４１は、各最終タッチ座標の位置までそれぞれ移動させた２本の境界線間の距離を、各境界線の移動方向の表示画面の幅で割り算した値が、１／３以上の場合には、「圧縮表示幅」として「広い」をＲＡＭ４２に記憶する。
【００８３】
また、ＣＰＵ４１は、各最終タッチ座標の位置までそれぞれ移動させた２本の境界線間の距離を、各境界線の移動方向の表示画面の幅で割り算した値が、１／６以上から１／３未満の場合には、「圧縮表示幅」として「中間」をＲＡＭ４２に記憶する。また、各最終タッチ座標の位置までそれぞれ移動させた２本の境界線間の距離を、各境界線の移動方向の表示画面の幅で割り算した値が、１／６未満の場合には、「圧縮表示幅」として「狭い」をＲＡＭ４２に記憶する。
【００８４】
例えば、図９に示すように、ＣＰＵ４１は、各最終タッチ座標８１、８２まで移動させた各境界線５８、５９の距離を、各境界線５８、５９の移動方向の表示画面の幅で割り算した値が、「０．３５」、即ち、１／３以上の場合には、「圧縮表示幅」として「広い」をＲＡＭ４２に記憶する。
【００８５】
また、例えば、図１０に示すように、ＣＰＵ４１は、各最終タッチ座標８３、８４まで移動させた各境界線５８、５９の距離を、各境界線５８、５９の移動方向の表示画面の幅で割り算した値が、「０．１７」、即ち、１／６以上から１／３未満の場合には、「圧縮表示幅」として「中間」をＲＡＭ４２に記憶する。
【００８６】
また、例えば、図１１に示すように、ＣＰＵ４１は、各最終タッチ座標８５、８６まで移動させた各境界線５８、５９の距離を、各境界線５８、５９の移動方向の表示画面の幅で割り算した値が、「０．０８」、即ち、１／６未満の場合には、「圧縮表示幅」として「狭い」をＲＡＭ４２に記憶する。
【００８７】
その後、Ｓ２１７において、ＣＰＵ４１は、２本の境界線で挟まれた蛇腹状に圧縮表示した圧縮表示領域に表示する「道路種別」と「ランドマークの種類」を設定する。具体的には、先ず、ＣＰＵ４１は、上記Ｓ２１２でＲＡＭ４２に記憶した地図画像の縮尺を再度、ＲＡＭ４２から読み出して、表示物データテーブル５２の「縮尺」を決定する。
【００８８】
続いて、ＣＰＵ４１は、上記Ｓ２１６でＲＡＭ４２に記憶した「圧縮表示幅」を再度、ＲＡＭ４２から読み出して、この表示物データテーブル５２の決定した「縮尺」に対応する「圧縮表示幅」とする。そして、ＣＰＵ４１は、表示物データテーブル５２の当該「圧縮表示幅」に対応する「表示する道路種別」及び「表示するランドマークの種類」を読み出して、蛇腹状に圧縮表示した圧縮表示領域に表示する「道路種別」と「ランドマークの種類」としてＲＡＭ４２に記憶する。
【００８９】
例えば、図９に示すように、ＣＰＵ４１は、地図画像の縮尺が「市街図」（例えば、１／１００００の縮尺である。）の場合には、表示物データテーブル５２の「縮尺」を「中域」として決定する。続いて、ＣＰＵ４１は、ＲＡＭ４２から読み出した「圧縮表示幅」が「広い」の場合には、表示物データテーブル５２の「縮尺」の「中域」に対応する「圧縮表示幅」を「広い」に決定する。
【００９０】
その後、ＣＰＵ４１は、表示物データテーブル５２の当該「圧縮表示幅」の「広い」に対応する「表示する道路種別」の「全ての道路」と「表示するランドマークの種類」の「登録施設以上」を読み出し、それぞれ圧縮表示領域９１に表示する道路種別とランドマークの種類としてＲＡＭ４２に記憶する。
【００９１】
また、例えば、図１０に示すように、ＣＰＵ４１は、地図画像の縮尺が「市街図」（例えば、１／１００００の縮尺である。）の場合には、表示物データテーブル５２の「縮尺」を「中域」として決定する。続いて、ＣＰＵ４１は、ＲＡＭ４２から読み出した「圧縮表示幅」が「中間」の場合には、表示物データテーブル５２の「縮尺」の「中域」に対応する「圧縮表示幅」を「中間」に決定する。
【００９２】
その後、ＣＰＵ４１は、表示物データテーブル５２の当該「圧縮表示幅」の「中間」に対応する「表示する道路種別」の「幹線道路以上」と「表示するランドマークの種類」の「大型施設以上」を読み出し、それぞれ圧縮表示領域９２に表示する道路種別とランドマークの種類としてＲＡＭ４２に記憶する。
【００９３】
また、例えば、図１１に示すように、ＣＰＵ４１は、地図画像の縮尺が「市街図」（例えば、１／１００００の縮尺である。）の場合には、表示物データテーブル５２の「縮尺」を「中域」として決定する。続いて、ＣＰＵ４１は、ＲＡＭ４２から読み出した「圧縮表示幅」が「狭い」の場合には、表示物データテーブル５２の「縮尺」の「中域」に対応する「圧縮表示幅」を「狭い」に決定する。
【００９４】
その後、ＣＰＵ４１は、表示物データテーブル５２の当該「圧縮表示幅」の「狭い」に対応する「表示する道路種別」の「高速道路のみ」と「表示するランドマークの種類」の「ＩＣ、ＪＣＴ」を読み出し、それぞれ圧縮表示領域９３に表示する道路種別とランドマークの種類としてＲＡＭ４２に記憶する。
【００９５】
そして、図６に示すように、Ｓ２１８において、ＣＰＵ４１は、上記Ｓ２１７で記憶した「圧縮表示領域に表示する道路種別」をＲＡＭ４２から読み出し、この「圧縮表示領域に表示する道路種別」に該当する道路種別の道路を色の異なる太線等で圧縮表示領域に識別可能に表示する。そして、ＣＰＵ４１は、上記Ｓ２１６で記憶した「圧縮表示領域に表示するランドマークの種類」をＲＡＭ４２から読み出し、この「圧縮表示領域に表示するランドマークの種類」に該当するランドマークを識別可能な大きさで圧縮表示領域に表示する。その後、ＣＰＵ４１は、当該サブ処理を終了してメインフローチャートに戻り、当該処理を終了する。
【００９６】
例えば、図９に示すように、ＣＰＵ４１は、ＲＡＭ４２から読み出した「圧縮表示領域に表示する道路種別」が「全ての道路」の場合には、上記Ｓ１１４でＲＡＭ４２記憶した全ての道路種別の道路を表示対象とする。そして、ＣＰＵ４１は、上記Ｓ１１３でＲＡＭ４２に記憶した両境界間に存在する全道路（リンク）やノードのうち、先ず、圧縮表示領域９１内の各一般道路６３、６４の各ノード７２、７３、７５をそれぞれ各一般道路６３、６４の各リンク６３Ｂ、６４Ｂにより接続されていたノードへ略直線的に接続する。
【００９７】
そして、各一般道路６３、６４の各境界線５８、５９上の各リンク６３Ａ、６４Ａ、６４Ｃを圧縮表示前に接続されていた各ノード７２、７３、７５にそれぞれ略直線的に接続して、圧縮表示領域９１に各一般道路６３、６４を緑色の太線で表示する。
【００９８】
続いて、ＣＰＵ４１は、圧縮表示領域９１内の各幹線道路６１、６２の各ノード７１、７２、７３をそれぞれ幹線道路６２の各リンク６２Ｂ、６２Ｃにより接続されていたノードへ略直線的に接続する。また、幹線道路６２の各リンク６２Ａ、６２Ｄは、表示画面の周縁上にあるため、各ノード７１、７２、７３を略直線的に接続した後、各ノード７１、７３からそれぞれ表示画面の周縁まで略直線的に延長する。そして、各境界線５８、５９上の幹線道路６１の各リンク６１Ａ、６１Ｂを圧縮表示前に接続されていたノード７１に接続して、圧縮表示領域９１に各幹線道路６１、６２を茶色の太線で表示する。
【００９９】
その後、ＣＰＵ４１は、圧縮表示領域９１内の有料道路６５のノード７６と各境界線５８、５９上の有料道路６５の各リンク６５Ａ、６５Ｂを略直線的に接続して、圧縮表示領域９１に有料道路６５を紫色の太線で表示する。また、ＣＰＵ４１は、ＲＡＭ４２から読み出した「圧縮表示領域に表示するランドマークの種類」が「登録施設以上」の場合には、上記Ｓ１１４でＲＡＭ４２に記憶した登録施設のランドマーク６６を表示対象とする。そして、ＣＰＵ４１は、ランドマーク６６の圧縮表示領域９１内の位置に当該ランドマーク６６をほぼ元の大きさで識別可能に表示する。
【０１００】
また、例えば、図１０に示すように、ＣＰＵ４１は、ＲＡＭ４２から読み出した「圧縮表示領域に表示する道路種別」が「幹線道路以上」の場合には、上記Ｓ１１４でＲＡＭ４２記憶した道路種別のうち、幹線道路と有料道路を表示対象とする。そして、ＣＰＵ４１は、上記Ｓ１１３でＲＡＭ４２に記憶した両境界間に存在する全道路（リンク）やノードのうち、先ず、圧縮表示領域９２内の各幹線道路６１、６２の各ノード７１、７２、７３をそれぞれ幹線道路６２の各リンク６２Ｂ、６２Ｃにより接続されていたノードへ略直線的に接続する。
【０１０１】
また、幹線道路６２の各リンク６２Ａ、６２Ｄは、表示画面の周縁上にあるため、各ノード７１、７２、７３を略直線的に接続した後、各ノード７１、７３からそれぞれ表示画面の周縁まで略直線的に延長する。そして、各境界線５８、５９上の幹線道路６１の各リンク６１Ａ、６１Ｂを圧縮表示前に接続されていたノード７１に接続して、圧縮表示領域９２に各幹線道路６１、６２を茶色の太線で表示する。
【０１０２】
その後、ＣＰＵ４１は、圧縮表示領域９２内の有料道路６５のノード７６と各境界線５８、５９上の有料道路６５の各リンク６５Ａ、６５Ｂを略直線的に接続して、圧縮表示領域９２に有料道路６５を紫色の太線で表示する。また、ＣＰＵ４１は、ＲＡＭ４２から読み出した「圧縮表示領域に表示するランドマークの種類」が「大型施設以上」の場合には、上記Ｓ１１４でＲＡＭ４２に「大型施設」、「インターチェンジ（ＩＣ）」、「ジャンクション（ＪＣＴ）」のランドマークの種類を記憶していないため、圧縮表示領域９２にランドマークを表示しない。
【０１０３】
また、例えば、図１１に示すように、ＣＰＵ４１は、ＲＡＭ４２から読み出した「圧縮表示領域に表示する道路種別」が「高速道路のみ」の場合には、上記Ｓ１１４でＲＡＭ４２記憶した道路種別のうち、有料道路を表示対象とする。そして、ＣＰＵ４１は、上記Ｓ１１３でＲＡＭ４２に記憶した両境界間に存在する全道路（リンク）やノードのうち、圧縮表示領域９３内の有料道路６５のノード７６と各境界線５８、５９上の有料道路６５の各リンク６５Ａ、６５Ｂを略直線的に接続して、圧縮表示領域９３に有料道路６５を紫色の太線で表示する。
【０１０４】
また、ＣＰＵ４１は、ＲＡＭ４２から読み出した「圧縮表示領域に表示するランドマークの種類」が「ＩＣ、ＪＣＴ」の場合には、上記Ｓ１１４でＲＡＭ４２に「インターチェンジ（ＩＣ）」、「ジャンクション（ＪＣＴ）」のランドマークの種類を記憶していないため、圧縮表示領域９３にランドマークを表示しない。
【０１０５】
［蛇腹描画変更処理］
次に、上記Ｓ１５で実行する「蛇腹描画変更処理」のサブ処理について図７、図１２及び図１３に基づいて説明する。
図７に示すように、Ｓ３１１において、ＣＰＵ４１は、ＲＡＭ４２からそれぞれの指のタッチ座標を時系列的に読み出し、表示画面上での各指のタッチ座標の移動方向と、各指のタッチ座標の移動速度を算出してＲＡＭ４２に記憶する。
【０１０６】
続いて、Ｓ３１２において、ＣＰＵ４１は、表示画面上での各指のタッチ座標の移動方向が同一点に向かっているか否か、つまり、各指のタッチ座標の移動方向が互いに近づく方向か否かを判定する判定処理を実行する。そして、表示画面上での各指のタッチ座標の移動方向が同一点に向かっていないと判定した場合には（Ｓ３１２：ＮＯ）、ＣＰＵ４１は、当該サブ処理を終了してメインフローチャートに戻り、圧縮表示処理を終了する。
【０１０７】
一方、表示画面上での各指のタッチ座標の移動方向が同一点に向かっていると判定した場合には（Ｓ３１２：ＹＥＳ）、ＣＰＵ４１は、Ｓ３１３の処理に移行する。Ｓ３１３において、ＣＰＵ４１は、各指のタッチ座標の移動速度をＲＡＭ４２から読み出し、各指のタッチ座標の近づく相対速度を算出して、この相対速度が予めＲＯＭ４３に記憶している一定速度以上であるか否かを判定する判定処理を実行する。例えば、ＣＰＵ４１は、各指のタッチ座標の近づく相対速度が１０ｃｍ／秒以上か否かを判定する。
【０１０８】
そして、各指のタッチ座標の近づく相対速度が、予めＲＯＭ４３に記憶している一定速度以上であると判定した場合には（Ｓ３１３：ＹＥＳ）、ＣＰＵ４１は、Ｓ３１４の処理に移行する。Ｓ３１４において、ＣＰＵ４１は、蛇腹状に折り畳んで圧縮表示した圧縮表示領域を元の状態に復元表示する。つまり、ＣＰＵ４１は、圧縮表示領域の各境界線の外側に表示している地図の縮尺で、通常表示に戻し、表示画面に現在地周辺の地図画像を表示する。その後、ＣＰＵ４１は、当該サブ処理を終了して、メインフローチャートに戻り、圧縮表示処理を終了する。
【０１０９】
一方、各指のタッチ座標の近づく相対速度が、予めＲＯＭ４３に記憶している一定速度未満であると判定した場合には（Ｓ３１３：ＮＯ）、ＣＰＵ４１は、Ｓ３１５の処理に移行する。Ｓ３１５において、ＣＰＵ４１は、各指の最終タッチ座標が、一箇所に集中したか否かを判定する判定処理を実行する。そして、各指の最終タッチ座標が、一箇所に集中したと判定した場合には（Ｓ３１５：ＹＥＳ）、ＣＰＵ４１は、上記Ｓ３１４の処理に移行して、上記の通り、蛇腹状に折り畳んで圧縮表示した圧縮表示領域を元の状態に復元表示する。
【０１１０】
例えば、図１２に示すように、縮尺が「市街図」の地図画像上に、地図領域５７を各境界線５８、５９に対して垂直方向に折り畳み数「４」の蛇腹状に折り畳んで圧縮表示した圧縮表示領域９２が表示されている。この場合に、各指の各開始タッチ座標９５、９６が、各最終タッチ座標９７、９８まで近づくように、一定速度未満（例えば、１０ｃｍ/秒未満である。）で移動した場合には、ＣＰＵ４１は、各最終タッチ座標９７、９８が一箇所に集中したと判定する。
【０１１１】
そして、図１３に示すように、ＣＰＵ４１は、各境界線５８、５９で挟まれた地図領域５７を蛇腹状に折り畳んで圧縮表示した圧縮表示領域９２を元の状態に復元して、現在地（自車位置）周辺の地図画像を表示する（図８参照）。尚、各指の各開始タッチ座標９５、９６から内側方向に、タッチ座標が一定速度以上（例えば、１０ｃｍ/秒以上である。）の相対速度で互いに近づいた場合にも、図１３に示すように、ＣＰＵ４１は、蛇腹状に折り畳んで圧縮表示した圧縮表示領９２を元の状態に復元して、現在地（自車位置）周辺の地図画像を表示する（図８参照）。
【０１１２】
他方、上記Ｓ３１５で各指の最終タッチ座標が、一箇所に集中していないと判定した場合には（Ｓ３１５：ＮＯ）、ＣＰＵ４１は、Ｓ３１６の処理に移行して、上記「蛇腹情報生成処理」のサブ処理（Ｓ１３参照）を実行する。続いて、Ｓ３１７において、ＣＰＵ４１は、上記「蛇腹描画処理」のサブ処理（Ｓ１４参照）を実行後、当該サブ処理を終了してメインフローチャートに戻り、圧縮表示処理を終了する。
【０１１３】
以上詳細に説明した通り、本実施例に係るナビゲーション装置１では、ユーザは、表示画面へ２本の指を押下して近づけるように移動させることによって、この２本の指で押下した間の地図を、２本の指を移動させた方向へ蛇腹状に折り畳んで圧縮表示させることができる。また、ユーザは、表示画面の外側の地図領域を表示画面内に移動して表示することができ、表示画面の外側の地図領域を簡易な操作で容易に確認することができる。
【０１１４】
また、ＣＰＵ４１は、地図画像の縮尺と、各境界線間の距離を各境界線の移動方向の表示画面の幅で割り算した値（圧縮表示度合）とから道路種別を決定する。そして、ＣＰＵ４１は、この道路種別の道路を蛇腹状に折り畳んで圧縮表示した圧縮表示領域に識別可能に表示する。これにより、ユーザは、圧縮表示領域を挟んだ各画面間の道路や施設等の繋がりや位置関係を容易に認識することができる。
【０１１５】
また、ＣＰＵ４１は、地図画像の縮尺と、各境界線間の距離を各境界線の移動方向の表示画面の幅で割り算した値（圧縮表示度合）とからランドマークの種類を決定する。そして、ＣＰＵ４１は、この決定された種類のランドマークを蛇腹状に折り畳んで圧縮表示した圧縮表示領域に識別可能に表示する。これにより、ユーザは、圧縮表示領域を挟んだ各画面間の道路や施設等の繋がりや位置関係を更に容易に認識することができる。
【０１１６】
また、ＣＰＵ４１は、地図画像の縮尺と、２本の指の開始タッチ座標から最終タッチ座標までの移動量と、該２本の指の開始タッチ座標から最終タッチ座標までの移動速度とに基づいて圧縮表示領域の２本の境界線の間の蛇腹状の折り畳み数を設定する。これにより、ユーザは地図画像の縮尺と、２本の指のタッチ座標の移動量と、該２本の指のタッチ座標の移動速度とのうちの少なくとも１つを変更することによって、圧縮表示領域の蛇腹状の折り畳み数を変更して、圧縮表示領域の解像度を容易に設定することが可能となる。
【０１１７】
尚、本発明は前記実施例に限定されるものではなく、本発明の要旨を逸脱しない範囲内で種々の改良、変形が可能であることは勿論である。例えば、以下のようにしてもよい。
【０１１８】
（Ａ）例えば、圧縮表示データテーブル５１に「縮尺」と「蛇腹折り畳み数」だけを対応させて記憶するようにしてもよい。そして、上記Ｓ２１３において、ＣＰＵ４１は、地図画像の縮尺を圧縮表示データテーブル５１の「縮尺」として、この「縮尺」に対応する「蛇腹折り畳み数」を当該圧縮表示データテーブル５１から読み出し、２本の境界線で挟まれた地図領域を蛇腹状に圧縮表示する際の「蛇腹折り畳み数」としてＲＡＭ４２に記憶するようにしてもよい。
【０１１９】
（Ｂ）例えば、圧縮表示データテーブル５１に「縮尺」と「移動量」と「蛇腹折り畳み数」だけを対応させて記憶するようにしてもよい。そして、上記Ｓ２１３において、ＣＰＵ４１は、地図画像の縮尺をＲＡＭ４２から読み出して、圧縮表示データテーブル５１の「縮尺」として決定する。続いて、ＣＰＵ４１は、ＲＡＭ４２から各指の「合計移動量」を読み出して、この圧縮表示データテーブル５１の決定した「縮尺」に対応する「移動量」の「狭」、「中」、「広」の何れであるか決定する。
【０１２０】
そして、ＣＰＵ４１は、この圧縮表示データテーブル５１の決定した「移動量」に対応する「蛇腹折り畳み数」を当該圧縮表示データテーブル５１から読み出し、２本の境界線で挟まれた地図領域を蛇腹状に圧縮表示する際の「蛇腹折り畳み数」としてＲＡＭ４２に記憶するようにしてもよい。
【０１２１】
（Ｃ）例えば、圧縮表示データテーブル５１に「移動量」と「蛇腹折り畳み数」だけを対応させて記憶するようにしてもよい。そして、上記Ｓ２１３において、ＣＰＵ４１は、、ＲＡＭ４２から各指の「合計移動量」を読み出して、この圧縮表示データテーブル５１の決定した「縮尺」に対応する「移動量」の「狭」、「中」、「広」の何れであるか決定する。
【０１２２】
そして、ＣＰＵ４１は、この圧縮表示データテーブル５１の決定した「移動量」に対応する「蛇腹折り畳み数」を当該圧縮表示データテーブル５１から読み出し、２本の境界線で挟まれた地図領域を蛇腹状に圧縮表示する際の「蛇腹折り畳み数」としてＲＡＭ４２に記憶するようにしてもよい。
【０１２３】
（Ｄ）例えば、上記Ｓ２１５において、ＣＰＵ４１は、各最終タッチ座標の位置まで移動した２本の境界線で挟まれた地図領域をモザイク状等に圧縮表示するようにしてもよい。そして、上記Ｓ２１８において、ＣＰＵ４１は、モザイク状等に圧縮表示された圧縮表示領域上に設定された道路種別の道路と、設定された種類のランドマークとを表示するようにしてもよい。
【符号の説明】
【０１２４】
１        ナビゲーション装置
１５      液晶ディスプレイ
１８      タッチパネル
２５      地図情報ＤＢ
２６      ナビ地図情報
２７      圧縮表示ＤＢ
４１      ＣＰＵ
４２      ＲＡＭ
４３      ＲＯＭ
５１      圧縮表示データテーブル
５２      表示物データテーブル
５５、５６、９５、９６      開始タッチ座標
５７      地図領域
５８、５９      境界線
６１、６２      幹線道路
６３、６４      一般道路
６５      有料道路
６６      ランドマーク
６１Ａ、６１Ｂ、６２Ａ〜６２Ｄ、６３Ａ、６３Ｂ、６４Ａ〜６４Ｃ      リンク
６５Ａ、６５Ｂ      リンク
７１、７２、７３、７５、７６      ノード
８１〜８６、９７、９８      最終タッチ座標
９１〜９３      圧縮表示領域
【図１】
0005810711.tif 000002
【図２】
0005810711.tif 000003
【図３】
0005810711.tif 000004
【図４】
0005810711.tif 000005
【図５】
0005810711.tif 000006
【図６】
0005810711.tif 000007
【図７】
0005810711.tif 000008
【図８】
0005810711.tif 000009
【図９】
0005810711.tif 000010
【図１０】
0005810711.tif 000011
【図１１】
0005810711.tif 000012
【図１２】
0005810711.tif 000013
【図１３】
0005810711.tif 000014